(57)【要約】【課題】左右方向に隣接する扉の前面を容易に清掃できる冷蔵庫を提供する。【解決手段】本体部に設けた貯蔵室を開閉する正面視略矩形の扉１１〜１６の前面にガラス板２５を配した冷蔵庫１において、扉１１および扉１２の枠部２０、並びに、扉１３および扉１４の枠部２０は、ガラス板２５の周部の一辺の前面が露出した状態で当該一辺を支持する形状の第２支持部２２を有し、扉１１の右辺と扉１２の左辺、並びに、扉１３の右辺と扉１４の左辺には第２支持部２２が配されている。【選択図】図１
2018124063.tif 000002
【特許請求の範囲】
【請求項１】
本体部に設けた貯蔵室を開閉する正面視略矩形の扉の前面にガラス板を配し、該ガラス板の周部の四辺を枠部で支持した冷蔵庫において、
前記扉は複数設けられており、
複数の前記扉には左右方向に隣接する第１の扉と第２の扉とが含まれており、
前記第１の扉および前記第２の扉の前記枠部は、前記ガラス板の周部の一辺の前面が当該枠部に覆われずに露出した状態で当該一辺を支持する形状の支持部を有し、
前記第１の扉の前記ガラス板の四辺のうち前記形状の支持部が設けられている一辺と、前記第２の扉の前記ガラス板の四辺のうち前記形状の支持部が設けられている一辺と、が対向して配されており、
対向して配されている前記各辺は、何れも冷蔵庫の中央側の辺であり、
前記第１の扉および前記第２の扉の枠部のうち、前記冷蔵庫の左右の外周側の部分には、前記ガラス板の周部の前面が当該枠部に覆われた状態で前記ガラス板を支持する形状の支持部が配されていることを特徴とする冷蔵庫。
【請求項２】
複数の前記扉には、前記第１の扉の下方に隣接する第３の扉が含まれており、
前記第１の扉の枠部のうち当該第１の扉の下辺側の部分と、前記第３の扉の枠部のうち当該第３の扉の上辺側の部分とに前記ガラス板の周部の一辺の前面が当該枠部に覆われずに露出した状態で当該一辺を支持する形状の支持部が配されていることを特徴とする請求項１に記載の冷蔵庫。
【請求項３】
本体部に設けた貯蔵室を開閉する正面視略矩形の扉の前面にガラス板を配し、該ガラス板の周部の四辺を枠部で支持した冷蔵庫において、
前記扉は複数設けられており、
複数の前記扉には左右方向に隣接する第１の扉と第２の扉とが含まれており、
前記第１の扉および前記第２の扉の前記枠部は、前記ガラス板の周部の一辺の前面が当該枠部に覆われずに露出した状態で当該一辺を支持する形状の支持部を有し、
前記第１の扉の前記ガラス板の四辺のうち前記形状の支持部が設けられている一辺と、前記第２の扉の前記ガラス板の四辺のうち前記形状の支持部が設けられている一辺と、が対向して配されており、
対向して配されている前記各辺は、何れも冷蔵庫の中央側の辺であり、
複数の前記扉には、前記冷蔵庫の左右端にわたって設けられる第４の扉が含まれており、
前記第４の扉の枠部の四辺のうち一辺には、当該ガラス板の周部の前面が枠部に覆われずに露出した状態で前記ガラス板を支持する形状の支持部が配され、
前記第４の扉の枠部の四辺のうち前記冷蔵庫の左右の外周を成す両側辺および上辺には、当該ガラス板の周部の前面が枠部に覆われた状態で前記ガラス板を支持する形状の支持部が配されていることを特徴とする冷蔵庫。
【発明の詳細な説明】
【技術分野】
【０００１】
本発明は、扉の前面にガラス板を配した冷蔵庫に関する。
【背景技術】
【０００２】
従来の冷蔵庫は特許文献１に開示されている。この冷蔵庫は左右端でそれぞれ枢支される左右一対の扉を備えている。扉は周面及び背面を樹脂成形品から成るカバーで覆われ、前面をガラス板で覆われる。カバーの前端にはガラス板の側面及び背面を支持する断面Ｌ字状の枠部が形成される。
【０００３】
枠部によりガラス板を支持し、カバー及びガラス板で囲まれた内部に発泡断熱材（不図示）が充填される。これにより、ガラス板が発泡断熱材に固着され、扉と一体化される。枠部がガラス板の前面に配されないため、ガラス板上の汚れを容易に清掃することができる。
【先行技術文献】
【特許文献】
【０００４】
【特許文献１】米国特許出願公開２０１１／００８９７９０号明細書（第３頁、第６図）
【発明の概要】
【発明が解決しようとする課題】
【０００５】
しかしながら、上記従来の冷蔵庫では、左右方向に隣接するガラス板上の汚れを容易に清掃することができなかった。
【０００６】
本発明は、左右方向に隣接する扉の前面を容易に清掃できる冷蔵庫を提供することを目的とする。
【課題を解決するための手段】
【０００７】
上記の課題を解決するために、本発明の一態様に係る冷蔵庫は、本体部に設けた貯蔵室を開閉する正面視略矩形の扉の前面にガラス板を配し、該ガラス板の周部の四辺を枠部で支持した冷蔵庫において、前記扉は複数設けられており、複数の前記扉には左右方向に隣接する第１の扉と第２の扉とが含まれており、前記第１の扉および前記第２の扉の前記枠部は、前記ガラス板の周部の一辺の前面が当該枠部に覆われずに露出した状態で当該一辺を支持する形状の支持部を有し、前記第１の扉の前記ガラス板の四辺のうち前記形状の支持部が設けられている一辺と、前記第２の扉の前記ガラス板の四辺のうち前記形状の支持部が設けられている一辺と、が対向して配されていることを特徴とする。
【発明の効果】
【０００８】
本発明によると、左右方向に隣接する扉の前面を容易に清掃できる。
【図面の簡単な説明】
【０００９】
【図１】本発明の実施形態の冷蔵庫を示す正面図
【図２】図１のＡ−Ａ断面図
【図３】図１のＢ−Ｂ断面図
【図４】図２のＨ１部詳細図
【図５】図２のＨ２部詳細図
【図６】図３のＨ３部詳細図
【図７】図３のＨ４部詳細図
【図８】図１のＣ−Ｃ断面図
【図９】図８のＨ５部詳細図
【図１０】図８のＨ６部詳細図
【図１１】図１のＤ−Ｄ断面図
【図１２】図１のＥ−Ｅ断面図
【図１３】図１のＦ−Ｆ断面図
【図１４】図１１のＨ７部詳細図
【図１５】図１２のＨ８部詳細図
【発明を実施するための形態】
【００１０】
＜第１実施形態＞
以下に図面を参照して本発明の実施形態を説明する。図１は一実施形態の冷蔵庫を示す正面図である。冷蔵庫１は断熱箱体から成る本体部１０の上部に冷蔵室２が設けられる。冷蔵室２の下方には製氷室３及び冷凍室４が左右に並設される。製氷室３及び冷凍室４の下方には冷凍室５が設けられ、冷凍室５の下方には野菜室６が設けられる。
【００１１】
冷蔵室２は貯蔵物を冷蔵保存し、野菜室６は冷蔵室２よりも高温に維持して野菜等の貯蔵物を冷蔵保存する。製氷室３、冷凍室４及び冷凍室５は連通し、製氷室３で製氷及び貯氷を行うとともに冷凍室４、５で貯蔵物を冷凍保存する。
【００１２】
冷蔵室２は左右端でそれぞれ枢支された観音開きの扉１１、１２により開閉される。製氷室３は貯氷容器（不図示）と一体の引出し式の扉１３により開閉される。冷凍室４、５は貯蔵物の収納ケース（不図示）と一体の引出し式の扉１４、１５によりそれぞれ開閉される。野菜室６は野菜ケース（不図示）と一体の引出し式の扉１６により開閉される。扉１１〜１６は内部に発泡断熱材２６（図４参照）が充填されている。
【００１３】
図２、図３は図１のＡ−Ａ断面図及びＢ−Ｂ断面図であり、冷蔵室２の右側の扉１２の縦断面図及び横断面図を示している。尚、冷蔵室２の左側の扉１１は扉１２に対して左右を反転した構造に形成される。扉１２は正面視矩形に形成され、上面カバー１２ａ、下面カバー１２ｂ、側面カバー１２ｃ、１２ｄ、背面カバー１２ｅ及びガラス板２５により覆われる。
【００１４】
上面カバー１２ａ、下面カバー１２ｂ、側面カバー１２ｃ、１２ｄ及び背面カバー１２ｅは樹脂成形品により形成され、それぞれ扉１２の上面、下面、両側面及び背面を覆う。ガラス板２５は例えば、厚さが３．２ｍｍのソーダガラスにより形成され、扉１２の前面を覆う。扉１２は下面カバー１２ｂに凹設した把手部３１に手指を掛けて開かれる。
【００１５】
図４は図２のＨ１部詳細図を示している。下面カバー１２ｂの前端にはガラス板２５の下面を支持する第１支持部２１が設けられる。第１支持部２１はガラス板２５の背面、下面及び前面にそれぞれ対向する背面部２１ａ、側面部２１ｂ、前面部２１ｃを有した断面コ字状に形成される。これにより、下面カバー１２ｂの第１支持部２１はガラス板２５の下面に被嵌され、ガラス板２５を支持する。
【００１６】
図５は図２のＨ２部詳細図を示している。上面カバー１２ａの前端にはガラス板２５の上面を支持する第２支持部２２が設けられる。第２支持部２２はガラス板２５の背面及び上面にそれぞれ対向する背面部２２ａ、側面部２２ｂを有した断面Ｌ字状に形成される。これにより、上面カバー１２ａの第２支持部２２はガラス板２５の上端が露出した状態でガラス板２５を支持する。
【００１７】
図６は図３のＨ３部詳細図を示している。扉１２の左側の側面カバー１２ｃの前端には上面カバー１２ａと同様の第２支持部２２が設けられる。また、第２支持部２２の背面部２２ａとガラス板２５の背面との間には上下方向に延びる両面粘着テープ２７が配される。これにより、側面カバー１２ｃの第２支持部２２はガラス板２５の左端が露出した状態でガラス板２５を支持する。
【００１８】
図７は図３のＨ４部詳細図を示している。扉１２の右側の側面カバー１２ｄの前端には下面カバー１２ｂと同様の第１支持部２１が設けられる。これにより、側面カバー１２ｄの第１支持部２１はガラス板２５の右側面に被嵌され、ガラス板２５を支持する。
【００１９】
下面カバー１２ｂ及び側面カバー１２ｄに設けた第１支持部２１と、上面カバー１２ａ及び側面カバー１２ｃに設けた第２支持部２２とにより、ガラス板２５の周部の四辺を支持する枠部２０が構成される。
【００２０】
扉１２は上面カバー１２ａ、下面カバー１２ｂ、側面カバー１２ｃ、１２ｄ、背面カバー１２ｅ及びガラス板２５を連結した後、内部に発泡断熱材２６が充填される。ガラス板２５は背面を発泡断熱材２６に固着して扉１２に一体化される。この時、ガラス板２５は両面粘着テープ２７により左側端部が仮固定され、第１支持部２１により下辺及び右辺が保持される。これにより、ガラス板２５の少なくとも一対の対向する二辺が保持され、発泡断熱材２６の充填時のガラス板２５の脱落を防止することができる。従って、両面粘着テープ２７の使用量を削減して扉１１、１２の製造時の作業性を向上することができる。
【００２１】
また、扉１２の右辺及び扉１１の左辺は第１支持部２１の前面部２１ｃによりガラス板２５の前面を覆われる。このため、家具等（椅子やワゴン等）の衝突し易い冷蔵庫１の左右端においてガラス板２５のエッジが保護され、ガラス板２５の破損を防止することができる。
【００２２】
また、扉１１、１２の互いに対向する側面には第２支持部２２が配されるため、ガラス板２５の前面が覆われない。このため、隣接する扉１１、１２の前面を一体的に容易に清掃することができ、冷蔵庫１の利便性を向上することができる。
【００２３】
また、扉１２の上辺及び左辺に第２支持部２２を配しているため、右辺または下辺の第１支持部２１を破壊して三辺の前面を開放することにより扉１２を解体することができる。この時、両面粘着テープ２７が扉１２の左辺のみに配されるため、容易に扉１２を解体することができる。
【００２４】
また、扉１１、１２の把手部３１を配した下辺に第１支持部２１を設けたので、把手部３１に挿入される手指が接触し易いガラス板２５のエッジが第１支持部２１により覆われる。従って、ガラス板２５のエッジによる手指の裂傷を防止し、冷蔵庫１の安全性を向上することができる。
【００２５】
図８は図１のＣ−Ｃ断面図であり、冷凍室４の扉１４の縦断面図を示している。尚、製氷室３の扉１３は扉１４に対して左右を反転した構造に形成される。扉１４は正面視矩形に形成され、扉１１、１２と同様に、上面カバー１４ａ、下面カバー１４ｂ、側面カバー（不図示）、背面カバー１４ｅ及びガラス板２５により覆われる。扉１４は上面カバー１４ａに凹設した把手部３２に手指を掛けて開かれる。
【００２６】
図９は図８のＨ５部詳細図を示している。上面カバー１４ａの前端には扉１２の下面カバー１２ｂ（図４参照）と同様にガラス板２５の上面を支持する断面コ字状の第１支持部２１が設けられる。これにより、上面カバー１４ａの第１支持部２１はガラス板２５の上
面に被嵌され、ガラス板２５を支持する。
【００２７】
図１０は図８のＨ６部詳細図を示している。下面カバー１４ｂの前端には扉１２の上面カバー１２ａ（図５参照）と同様にガラス板２５の下面を支持する断面Ｌ字状の第２支持部２２が設けられる。これにより、下面カバー１４ｂの第２支持部２２はガラス板２５の下端が露出した状態でガラス板２５を支持する。
【００２８】
扉１４の左端は前述の図６に示す扉１２と同様に、第２支持部２２によりガラス板２５が支持される。扉１４の右端は前述の図７に示す扉１２と同様に、第１支持部２１によりガラス板２５が支持される。
【００２９】
これにより、扉１３、１４は扉１１、１２と同様に、発泡断熱材２６の充填時のガラス板２５の脱落を防止することができる。また、冷蔵庫１の左右端においてガラス板２５のエッジが保護され、ガラス板２５の破損を防止することができる。また、隣接する扉１３、１４の前面を一体的に容易に清掃することができるとともに、扉１３、１４を容易に解体することができる。また、把手部３２を配した上辺に第２支持部２２を設けたので、冷蔵庫１の安全性を向上することができる。
【００３０】
図１１、図１２、図１３は図１のＤ−Ｄ断面図、Ｅ−Ｅ断面図及びＦ−Ｆ断面図を示している。図１１は冷凍室５の扉１５の把手部３３を通る縦断面図であり、図１２は把手部３３上から離れた縦断面図である。図１３は扉１５の横断面図である。尚、野菜室６の扉１６も扉１５と同様に形成される。
【００３１】
扉１５は本体部１０の左右端に渡って正面視矩形に形成され、扉１１〜１４と同様に、上面カバー１５ａ、下面カバー１５ｂ、側面カバー１５ｃ、１５ｄ、背面カバー１５ｅ及びガラス板２５により覆われる。
【００３２】
また、扉１５の上辺に沿って扉１５の左右方向の中央部には上面カバー３１に連結される樹脂成形品の保持部材１５ｆが配される。保持部材１５ｆは扉１５の上部の前面を覆い、上面及び前面を開放した凹部３３ａを形成する。ガラス板２５には凹部３３ａに沿って切り欠かれた切欠き部２５ａ（図１参照）が形成される。上面カバー１５ａは前端を下方に屈曲して凹部３３ａの前方に配される把手部３３が形成される。扉１５は凹部３３ａに挿入した手指を把手部３３に掛けて開かれる。
【００３３】
図１４は図１１のＨ７部詳細図を示している。保持部材１５ｆの前端には扉１２の下面カバー１２ｂ（図４参照）と同様にガラス板２５の上面を支持する断面コ字状の第１支持部２１が設けられる。これにより、保持部材１５ｆの第１支持部２１はガラス板２５の上面に被嵌され、ガラス板２５を支持する。
【００３４】
図１５は図１２のＨ８部詳細図を示している。把手部３３から離れた部分で上面カバー１５ａの前端には扉１２の上面カバー１２ａ（図５参照）と同様にガラス板２５の上面を支持する断面Ｌ字状の第２支持部２２が設けられる。これにより、上面カバー１５ａの第２支持部２２はガラス板２５の上端が露出した状態でガラス板２５を支持する。
【００３５】
扉１５の下辺は図１５と同様に、断面Ｌ字状の第２支持部２２によりガラス板２５が支持される。また、扉１５の左右の両辺は前述の図７と同様に、断面コ字状の第１支持部２１によりガラス板２５が支持される。
【００３６】
これにより、扉１５、１６は左右に対向する第１支持部２１によりガラス板２５を支持し、扉１１、１２と同様に、発泡断熱材２６の充填時のガラス板２５の脱落を防止するこ
とができる。また、冷蔵庫１の左右端においてガラス板２５のエッジが保護され、ガラス板２５の破損を防止することができる。また、左右の一方の第１支持部２１を破壊して扉１５、１６を容易に解体することができる。また、扉１５の把手部３３を配した上辺の凹部３３ａに第２支持部２２を設けたので、冷蔵庫１の安全性を向上することができる。
【００３７】
本実施形態によると、ガラス板２５を支持する枠部２０が断面コ字状の第１支持部２１と断面Ｌ字状の第２支持部２２とを有して第１支持部２１が冷蔵庫１（本体部１０）の左右端に配される。このため、第１支持部２１により発泡断熱材２６を充填する際のガラス板２５の脱落を防止できるとともに、本体部１０の左右端において第１支持部２１によりガラス板２５のエッジを保護して衝突による破損を防止することができる。また、第２支持部２２を設けるため第２支持部２２を配した辺の端縁まで扉１１〜１６の前面を容易に清掃できるとともに、扉１１〜１６の解体を容易に行うことができる。
【００３８】
また、扉１１、１２や扉１３、１４が左右に隣接して設けられる。この時、扉１１〜１４の外側の側辺（扉１１、１３の左辺及び扉１２、１４の右辺）及び扉１１〜１４の下辺に第１支持部２１を配している。また、隣接する扉に面した側辺（扉１１、１３の右辺及び扉１２、１４の左辺）に第２支持部２２を配している。これにより、左右に隣接する扉１１、１２や扉１３、１４の前面を一体に清掃することができ、冷蔵庫１の利便性を向上することができる。
【００３９】
また、ガラス板２５と第２支持部２２とを接着する両面粘着テープ２７が扉１１〜１４の一辺のみに配されるため、容易に扉１１〜１４を解体することができる。
【００４０】
また、扉１５、１６が本体部１０の左右端にわたって設けられ、第１支持部２１を扉１５、１６の両側端に配したので、対向する二辺が第１支持部２１により支持される。これにより、両面粘着テープ２７による仮固定を必要とせずに発泡断熱材２６の充填時のガラス板２５の脱落を防止することができる。従って、発泡断熱材２６の充填時の作業性をより向上するとともに扉１５、１６をより容易に解体することができる。
【００４１】
また、扉１１〜１６の把手部３１〜３３を配した辺に第１支持部２１を設けたので、把手部３１〜３３に挿入される手指が接触し易いガラス板２５のエッジが第１支持部２１により覆われる。従って、ガラス板２５のエッジによる裂傷を防止し、冷蔵庫１の安全性を向上することができる。
【００４２】
本実施形態において、扉１３、１４と同様の把手部３２を扉１５、１６に設けてもよい。また、扉１５、１６と同様の把手部３３を扉１３、１４に設けてもよい。また、扉１３、１４は扉１１、１２に比して小さいため、隣接する二辺の第１支持部２１により発泡断熱材２６充填時のガラス板２５の脱落を防止できる場合は両面粘着テープ２７を省いてもよい。
【００４３】
＜付記１＞
上記目的を達成するために本発明は、本体部に設けた貯蔵室を開閉する正面視略矩形の扉の前面にガラス板を配した冷蔵庫において、前記ガラス板が枠部により周部を支持されるとともに前記扉に充填した発泡断熱材に背面を固着され、前記枠部が前記ガラス板の周面に被嵌される断面コ字状に形成して前記ガラス板の少なくとも一辺を支持する第１支持部と、前記ガラス板の周面及び背面を覆う断面Ｌ字状に形成して前記ガラス板の少なくとも一辺を支持する第２支持部とを有し、前記本体部の左右端に第１支持部を配したことを特徴としている。
【００４４】
この構成によると、正面視略矩形の扉に設けた枠部の断面コ字状の第１支持部及び断面
Ｌ字状の第２支持部によりガラス板の周部の四辺が支持される。扉の内部には発泡断熱材が充填され、ガラス板が発泡断熱材に固着して扉に一体化される。ガラス板は第１支持部を配した辺の前面が覆われ、発泡断熱材の充填時にガラス板の脱落を防止するとともにガラス板のエッジが保護される。また、第２支持部を配した辺はガラス板の前面を覆わないため、第２支持部を破壊せずに発泡断熱材からガラス板を剥離して扉が解体される。
【００４５】
また本発明は、上記構成の冷蔵庫において、複数の前記扉が左右に隣接して設けられ、前記扉の外側の側辺及び前記扉の下辺に第１支持部を配し、隣接する前記扉に対向する側辺に第２支持部を配したことを特徴としている。この構成によると、左右の扉に設けた第１支持部が冷蔵庫の左右端に配される。また、左右の扉の境界部分に第２支持部を配してガラス板の前面が端縁まで露出し、左右の扉の前面が一体的に清掃される。
【００４６】
また本発明は、上記構成の冷蔵庫において、第２支持部と前記ガラス板とを接着する両面粘着テープを前記扉の一辺にのみ配したことを特徴としている。この構成によると、両面粘着テープによりガラス板が第２支持部に仮固定され、扉の内部に発泡断熱材が充填される。
【００４７】
また本発明は、上記構成の冷蔵庫において、前記扉が前記本体部の左右端にわたって設けられ、第１支持部を前記扉の両側端に配したことを特徴としている。この構成によると、ガラス板の対向する二辺が第１支持部により支持され、扉の内部に発泡断熱材が充填される。
【００４８】
また本発明は、上記構成の冷蔵庫において、前記扉を開く際に手指を掛ける把手部を前記扉の周部に備え、前記把手部を配した辺に第１支持部を設けたことを特徴としている。この構成によると、把手部に挿入される手指が接触し易いガラス板のエッジが第１支持部により覆われる。
【００４９】
本発明の別の態様に係る冷蔵庫は、本体部の前面の開口部を開閉する第１および第２の扉が隣接して設けられた冷蔵庫であって、前記第１および第２の扉は、正面視矩形に形成されると共に、扉の前面に配されたガラス板と、前記ガラス板の周縁を支持する枠部と、前記枠部の内部および前記ガラス板の背面に充填される発泡断熱材と、を備え、前記枠部は、前記ガラス板の前面外縁に掛かる第１支持部と、前記ガラス板の前面外縁に掛からない第２支持部と、を有し、前記第１支持部は、前記ガラス板の四辺のうちの二辺に配され、前記第２支持部は、前記ガラス板の四辺のうちの残りの二辺に配され、前記第１支持部と第２支持部とは、前記ガラス板の相対する二辺の一方と他方に位置しており、二つある前記第２支持部のうちの一つは、前記第１および第２の扉における互いが隣接し合う辺に配され、二つある前記第２支持部のうちの少なくとも前記隣接し合う辺に配された前記第２支持部と前記ガラス板とが両面粘着テープによって固定され、該両面粘着テープによって前記第２支持部と固定されている辺と相対する辺に配された前記第１支持部の内側面と、前記ガラス板の端面と、の間に隙間があることを特徴とする。
【００５０】
本発明の別の態様に係る冷蔵庫は、さらに、前記第１および第２の扉は左右に隣接しており、前記第１支持部は、前記第１および第２の扉における、前記本体部の外周側に位置する辺に配されている。
【００５１】
本発明の別の態様に係る冷蔵庫は、さらに、前記第１および第２の扉は回転式であるとともに左右に隣接しており、前記第１支持部は、前記第１および第２の扉におけるヒンジ側の辺と、前記第１および第２の扉における下辺と、に配されている。
【００５２】
本発明の別の態様に係る冷蔵庫は、さらに、前記第１および第２の扉は引き出し式であ
るとともに左右に隣接している。
【００５３】
本発明の別の態様に係る冷蔵庫の扉の製造方法は、冷蔵庫本体の前面の開口部を開閉する冷蔵庫の扉の製造方法であって、前記扉は、正面視矩形に形成されると共に、当該扉の前面に配されたガラス板と、前記ガラス板の周縁を支持する枠部と、を備え、前記枠部は、前記ガラス板の前面外縁に掛かる第１支持部と、前記ガラス板の前面外縁に掛からない第２支持部と、を有し、前記第１支持部は、前記ガラス板の四辺のうちの二辺に配され、前記第２支持部は、前記ガラス板の四辺のうちの残りの二辺に配され、前記第１支持部と第２支持部とは、前記ガラス板の相対する二辺の一方と他方に位置しており、二つある前記第２支持部のうちの少なくとも一つの前記第２支持部に前記ガラス板を両面粘着テープを用いて固定する工程と、前記ガラス板における、前記両面粘着テープを用いて前記第２支持部に固定される辺と相対する辺に前記第１支持部を被せる工程と、前記第１支持部および第２支持部によって四辺を支持された前記ガラス板の背面側に発泡断熱材を充填して前記ガラス板を発泡断熱材に固着させて前記枠部と一体化する工程と、を含み、前記一体化する工程後における、前記両面粘着テープによって前記第２支持部と固定されている辺と相対する辺に配された前記第１支持部の内側面と、前記ガラス板の端面と、の間に隙間があることを特徴とする。
【００５４】
本発明の別の態様に係る冷蔵庫は、本体部の前面の開口部を開閉する引き出し式の扉を備える冷蔵庫であって、前記扉は、正面視矩形に形成されると共に、扉の前面に配されたガラス板と、前記ガラス板の周縁を支持する枠部と、前記枠部の内部および前記ガラス板の背面に充填される発泡断熱材と、を備え、前記枠部は、前記ガラス板の前面外縁に掛かる第１支持部と、前記ガラス板の前面外縁に掛からない第２支持部と、を有し、前記第１支持部は、前記ガラス板の四辺のうちの二辺に配され、前記第２支持部は、前記ガラス板の四辺のうちの残りの二辺に配され、前記第１支持部と第２支持部とは、前記ガラス板の相対する二辺の一方と他方に位置しており、前記扉を開く際に手指を掛ける把手部を前記扉の周部に備え、前記把手部を配した辺に前記第１支持部が設けられ、二つ有る前記第２支持部のうちの少なくとも一方の前記第２支持部と前記ガラス板とが両面粘着テープによって固定され、該両面粘着テープによって前記第２支持部と固定されている辺と相対する辺に配された前記第１支持部の内側面と、前記ガラス板の端面と、の間に隙間があることを特徴とする。
【００５５】
＜付記２＞
従来の冷蔵庫によると、発泡断熱材を充填する際にガラス板が枠部に対して前方に離れるため、両面粘着テープによりガラス板の背面を枠部に仮固定する必要がある。このため、扉形成時の作業性が悪く、冷蔵庫の製造コストがかかる問題があった。また、ガラス板の周縁が露出するため枠部の加工精度により枠部に対してガラス板が突出する場合がある。この時、冷蔵庫の左右の端部において家具等の衝突によりガラス板のエッジが破損する問題もあった。
【００５６】
本発明の一態様は、コストを削減するとともにガラス板の破損を防止できる冷蔵庫を提供することを目的とする。
【００５７】
上記の課題を解決するために、本発明の一態様に係る冷蔵庫は、本体部に設けた貯蔵室を開閉する正面視略矩形の扉の前面にガラス板を配した冷蔵庫において、前記ガラス板が、枠部により周部を支持されるとともに前記扉に充填した発泡断熱材に背面を固着されて前記扉に一体化され、前記枠部が、前記ガラス板の周面に被嵌される断面コ字状に形成して前記ガラス板の少なくとも一辺を支持する第１支持部と、前記ガラス板の周面及び背面を覆う断面Ｌ字状に形成して前記ガラス板の少なくとも一辺を支持する第２支持部とを有し、前記ガラス板の少なくとも一対の対向する二辺のうちの一方の辺に前記第１支持部が
配され、他方の辺に前記第２支持部が配され、前記ガラス板の背面は前記第２支持部に固定されていることを特徴とする。
【００５８】
本発明の一態様によると、ガラス板を支持する枠部が断面コ字状の第１支持部と断面Ｌ字状の第２支持部とを有して第１支持部が本体部の左右端に配される。このため、第１支持部により発泡断熱材を充填する際のガラス板の脱落を防止できるとともに、本体部の左右端において第１支持部によりガラス板のエッジを保護して衝突による破損を防止することができる。また、第２支持部を設けるため第２支持部を配した辺の端縁まで扉の前面を容易に清掃できるとともに、扉の解体を容易に行うことができる。
【産業上の利用可能性】
【００５９】
本発明によると、扉の前面にガラス板を配した冷蔵庫に利用することができる。
【符号の説明】
【００６０】
１    冷蔵庫
２    冷蔵室
３    製氷室
４、５  冷凍室
６    野菜室
１０    本体部
１１〜１６  扉
１２ａ、１４ａ、１５ａ  上面カバー
１２ｂ、１４ｂ、１５ｂ  下面カバー
１２ｃ、１２ｄ、１５ｃ、１５ｄ  側面カバー
１２ｅ、１４ｅ、１５ｅ  背面カバー
１５ｆ  保持部材
２０    枠部
２１    第１支持部
２１ａ、２２ａ  背面部
２１ｂ、２２ｂ  側面部
２１ｃ  前面部
２２    第２支持部
２５    ガラス板
２５ａ  切欠き部
２６    発泡断熱材
２７    両面粘着テープ
３１、３２、３３  把手部
３３ａ  凹部
【図１】
2018124063.tif 000003
【図２】
2018124063.tif 000004
【図３】
2018124063.tif 000005
【図４】
2018124063.tif 000006
【図５】
2018124063.tif 000007
【図６】
2018124063.tif 000008
【図７】
2018124063.tif 000009
【図８】
2018124063.tif 000010
【図９】
2018124063.tif 000011
【図１０】
2018124063.tif 000012
【図１１】
2018124063.tif 000013
【図１２】
2018124063.tif 000014
【図１３】
2018124063.tif 000015
【図１４】
2018124063.tif 000016
【図１５】
2018124063.tif 000017